(57)【要約】【課題】自動制御可能な照明装置を提供すること。【解決手段】複数のLED素子を光源として備えて光を照射する光源基板と、前記光源基板の熱を放熱する放熱板と、人または空間を画像認識するためのカメラユニットと、を有するLED照明装置であって、前記放熱板の下面側には、下向きに光を照射するように前記光源基板が配置され、前記放熱板の上面側には、前記カメラユニットが配置されていることを特徴とする。  【選択図】図１
2019009056.tif 000002
【特許請求の範囲】
【請求項１】
本発明は、複数のLED素子を光源として備えて光を照射する光源基板と、前記光源基板の熱を放熱する放熱板と、人または空間を画像認識するためのカメラユニットと、を有するLED照明装置であって、当該放熱板の下面側には、下向きに光を照射するように前記光源基板が配置され、当該放熱板の上面側には、前記カメラが配置されていることを特徴とする。
【請求項２】
前記カメラユニットから取り込まれる画像から人の有無を認識し、照明器具の周囲に人がいない時は、照明を自動減光することを特徴とする請求項１に記載の照明装置。
【請求項３】
請求項２に記載の照明装置において、人を感知した際には照明を元の明るさで点灯することを特徴とする照明装置。
【請求項４】
部屋への入室時には人を個別認識し、各人がそれぞれ設定した任意の明かりで点灯することを特徴とする請求項１に記載の照明装置。
【発明の詳細な説明】
【技術分野】
【０００１】
本発明は、LED(Light Emitting Diode)素子を光源として備えるLED照明装置に関するものである。
【背景技術】
【０００２】
従来、照明器具においてカメラを用いて空間把握を行い、人の有無を認識することで、照明の自動消灯等を行う機能を有した照明器具が知られている。
【０００３】
カメラを用いて人の認識を行うためには、設置位置の工夫が必要となる。
【０００４】
例えば特許文献１では、部屋にカメラを設置し、カメラから得られる画像データを元に制御装置を介して照明装置の制御を実現し、照明を消灯制御もしくは減光制御することが開示されている。
【先行技術文献】
【特許文献】
【０００５】
【特許文献１】特開2002-289377号公報
【発明の概要】
【発明が解決しようとする課題】
【０００６】
特許文献１に記載の従来照明器具では、照明器具とは別体のカメラを部屋に設置し、カメラと制御装置と照明装置とを有するため、装置の設置を容易に行うことができない。
【０００７】
本発明では、前述の課題を解決し、任意の場所にて設置可能でかつ照明を自動制御可能なLED照明器具を提供を目的とするものである。
【課題を解決するための手段】
【０００８】
本発明は、複数のLED素子を光源として備えて光を照射する光源基板と、前記光源基板の熱を放熱する放熱板と、人の有無を画像認識するためのカメラユニットと、を有するLED照明装置であって、当該放熱板の下面側には、下向きに光を照射するように前記光源基板が配置され、当該放熱板の上面側には、人または空間を認識するための前記カメラが配置されていることを特徴とする。
【発明の効果】
【０００９】
本発明では、カメラと制御装置と照明装置とを一体化することで、任意の場所にて設置可能でかつ照明を自動制御可能なLED照明器具を提供することができる。
【００１０】
これにより、カメラユニットから画像を取り込み、部屋においての人の有無や人の個別認識を行い、自動調光や任意の明かりで自動点灯することが可能なLED照明器具を提供することができる。
【図面の簡単な説明】
【００１１】
【図１】本発明の実施形態に係るLED照明装置を示す図であり、斜め下方向から見たときの状態を示す外観斜視図である。
【図２】LED照明装置を斜め上方向から見たときの状態を示す外観斜視図である。
【図３】LED照明装置を斜め下方向から見たときの状態を示す分解斜視図である。
【図４】カメラユニットの詳細図である。
【図５】カメラユニットの認識可能範囲の例を示した図である。
【図６】カメラユニットの認識範囲Iを示した図である。
【図７】カメラユニットの認識範囲IIを示した図である。
【発明を実施するための形態】
【００１２】
次に、本発明の実施形態に係るLED照明装置（LEDシーリングライト）について、適宜図面を参照しながら詳細に説明する。なお、本実施形態では、LED照明装置１の一例をして、平面視して円形のものを例に挙げて説明するが、形状はこれに限定されず、例えば、四角形、六角形、八角形等の多角形のものにも適用することもできる。また、本実施形態では、以下、主照明用光源としてLEDを用いたLED照明装置１として説明するが、主照明光源はLEDに限定されるものではない。
【００１３】
図１及び図２に示すLED照明装置１は、例えば、家屋の天井面に設けられる引掛けローゼットや引掛けシーリング等の屋内配線器具（図示省略）に係合する取付けアダプタ（図示省略）を介することによって、外部電源に接続されると共に天井面の所定位置に固定されて利用に供されるものである。LED照明装置１は、例えば、丸型や角形等のものからなる（本実施形態では丸型である）。なお、以下の説明において、LED照明装置１が天井面に取り付けられた状態を基準として、紙面上側が天井側（上面側）、紙面下側が床側（下面側）である。
【００１４】
図３に示すように、LED照明装置１は、バックボーン２、絶縁板３、電源基板４、放熱板５、LED光源基板６、LEDカバー７、センタカバー８、セード９、カメラユニット１０等を備えて構成されている。カメラと制御装置と照明装置とを一体化することで、任意の場所にて設置可能でかつ照明を自動制御可能なLED照明器具を提供することができる。
【００１５】
バックボーン２は、略円形状の鋼板部品であり、中央部には取付けアダプタ（図示省略）を係止させるための取付け孔２aを有している。
【００１６】
絶縁板３は、難燃性及び電気絶縁性を有する構成樹脂で形成され、バックボーン２にねじで固定される。また、絶縁板３はLED照明装置１を天井面や所定位置に固定し、取付けアダプタに接続するための筒状の突起３aを有する。
【００１７】
電源基板４は、制御部を含む点灯回路を有し、絶縁板３を介してバックボーン２にねじ止めされている。絶縁板３を介することで、電気絶縁性を維持した状態で配置される。
また、電源基板４から電線（図示省略）を介して取付けアダプタと電気的に接続される。同様に電線を介してLED光源基板６やカメラユニット１０と電気的に接続される。これにより、LED光源基板６から照射される光の明るさ等の光り方を制御可能としている。
【００１８】
放熱板５は、略円形状の鋼板部品であり、中央部にはバックボーン２と絶縁板３の取付け孔２a及び筒状の突起３aと対応する貫通孔５aを有している。貫通孔を中心とした左右対称の位置にねじ用の穴を有しており、この穴を介して絶縁板３とねじ止めされ固定される。また、放熱板５は中央部に向かって台形状に凸部を有しており、この凸部にLED光源基板６を取り付けることでLED光源基板６の熱を放熱して冷却する役割を果たす。
【００１９】
LED光源基板６は、円周上の複数列にLED素子を複数個有している。LED素子は昼光色色LEDと電球色LEDと青緑色LEDを有する。昼光色LEDはピーク波長430〜460nmの昼光色光を発光し、電球色LEDはピーク波長550nm〜650nmの電球色光を発光し、青緑色LEDはピーク波長470nm〜500nmの青色光を発光することを特徴とする。
LED光源基板６は電源基板４と電線により接続され、電源基板４から発光に係る制御により、例えば点灯、消灯、電流値の調整による調光および調色が行われる。
【００２０】
LEDカバー７は、円形の板面を有し、板面状にはLED素子の配列に対応したレンズ機能を持つ凸部を複数有している。また、円形の板面の側面には円筒状の壁面を有しており、LED光源基板６との絶縁の役割を果たす。円筒状の壁面の外周部には凸部を有しており、その凸部を介して放熱板５とねじ止めで固定される。また、LEDカバー７の板面部の外径と内径の中央に位置する円周上にねじ穴を有しており、LED光源基板６とともに放熱板５にねじにより共締め固定される。
【００２１】
センタカバー８は、LEDカバー７の中央のリブと嵌合し、径方向に回転させることで着脱可能な構造を有する。センタカバー８の色は白色になっており、反射率を高め、点灯時に器具中央部の暗がりを軽減する効果がある。
【００２２】
セード９は、放熱板５の凹部に合わさり、径方向に回転させることで、セード９の凸部が受け具(図示省略)と嵌合し、着脱可能に取付けられる。セード９は光を拡散させる効果があり、まぶしさの軽減や、空間にムラなく光を広げる効果がある。
【００２３】
カメラユニット１０は、図４に示すようにカメラレンズ部１０aとカメラ駆動部１０bと、カメラレンズ部１０ａとカメラ駆動部１０ｂとを収めるケース部１０ｃと、からなり、カメラ機能を有している。本実施形態では、カメラユニット１０は、バックボーン２や放熱板５やセード９よりも外側に位置している。カメラユニット１０は、ケース部１０ｃの一部が放熱板５の天井側（上面側）に位置し、放熱部５にねじ止めで固定される。すなわち、カメラユニット１０を用いないＬＥＤ照明装置のセードやバックボーンやＬＥＤ光源基板と同じものを用いることができる。カメラユニット１０ではカメラレンズ部を通して画像を取得し、取得した画像を元に人の認識等を行う。カメラ駆動部１０bは任意の方向へ動かすことが可能で、カメラレンズ部が向く方向を任意に変更することができる。
【００２４】
図５にLED照明装置１を横から見た場合のカメラ認識範囲の例を示す。図５に示されるカメラ認識範囲の角度θは特に限定しないものとする。カメラ駆動部１０bを動かすことで、図５のようにカメラによる認識範囲を任意に変更することが可能となり、例えば部屋の入口方向にカメラを向けて、人が入室した際に認識するなど、認識範囲を調整し、認識する距離や位置を変更することで所望の使用方法を容易に実現することができる。
図５においてカメラ駆動部を左方向へ動かし、カメラ認識範囲を認識範囲Iに変更させた場合の例を図６に示す。同様に、図５においてカメラ駆動部を右方向へ動かし、カメラ認識範囲を認識範囲IIに変更させた場合の例を図7に示す。また、図５において左右方向だけでなく、手前方向および奥方向にもカメラ駆動部を動かすことも可能であり、LED照明装置１の全周方向へカメラ認識範囲を変更することができる。これにより、LED照明装置１の設置場所によらず所望の認識範囲および認識位置でカメラユニット１０による機能、例えばカメラユニット１０から画像を取り込み、部屋においての人の有無や人の個別認識を行い、自動調光や任意の明かりで自動点灯する機能を実現することができる。人がいない場合には照明を減光することで、消費電力を抑えることができる。また、部屋への入室時には人を個別認識し、各人がそれぞれ設定した任意の明かりで点灯することで、任意の調光や調色といった照明の設定を毎回行う手間を省くことができる。
【００２５】
なお、本発明は、前記実施形態に限定されるものではなく、その技術的思想の範囲内で種々の改造及び変更が可能であり、本発明はこれら改造及び変更された発明にもおよぶことは勿論である。例えば、実施例はセードの外側にカメラユニットを有しているが、セードあるいは器具本体内部に有してもよい。
【符号の説明】
【００２６】
１    ＬＥＤ照明装置
２    バックボーン
２a   取付け孔
３    絶縁板
３a   筒状の突起
４    電源基板
５    放熱板
５a   貫通孔
６    光源基板
７    ＬＥＤカバー
８    センタカバー
９    セード
１０  カメラユニット
１０a カメラレンズ部
１０b カメラ駆動部
【図１】
2019009056.tif 000003
【図２】
2019009056.tif 000004
【図３】
2019009056.tif 000005
【図４】
2019009056.tif 000006
【図５】
2019009056.tif 000007
【図６】
2019009056.tif 000008
【図７】
2019009056.tif 000009